【手続補正書】
【提出日】平成15年10月3日(2003.10.3)
【手続補正１】
【補正対象書類名】明細書
【補正対象項目名】発明の名称
【補正方法】変更
【補正の内容】
【発明の名称】遊技機情報表示装置


【手続補正２】
【補正対象書類名】明細書
【補正対象項目名】特許請求の範囲
【補正方法】変更
【補正の内容】
【特許請求の範囲】
【請求項１】
入賞により、信号を発する遊技機と、前記遊技機からの信号とを受けて点灯する呼び出しランプと、前記呼び出しランプと遊技機が接続された中継器と、前記中継器を介して前記遊技機と接続され、表示装置と入力装置を有するホールコンピュータとからなる遊技機情報表示装置において、
前記呼び出しランプに接続され、前記遊技機から発せられるリーチ信号を検出するリーチ信号検出手段と、
前記リーチ信号検出手段に接続され、前記リーチ信号検出手段が検出したリーチ信号を受信して、前記リーチ信号を受信した回数をカウントし、カウント値（以下、リーチ信号を受信した回数をカウントし、得たカウント値を、「リーチ回数」とする。）を得るリーチカウント手段と、
前記リーチカウント手段に接続され、前記リーチカウント手段から送信されたリーチ回数を前記呼び出しランプに送信する送信手段とからなり、前記リーチカウント手段からの当該遊技機のリーチ回数情報とスタート回数情報及びこれらの情報をそれぞれ演算して当該遊技機の出玉率を表示するようにしたことを特徴とする遊技機情報表示装置。
【請求項２】
入賞により、信号を発する遊技機と、前記遊技機からの信号を受けて点灯する呼び出しランプと、前記呼び出しランプと遊技機が接続された中継器と、前記中継器を介して前記遊技機と接続され、表示装置と入力装置を有するホールコンピュータとからなる遊技機情報管理装置において、
前記呼び出しランプに接続され、前記遊技機から発せられる信号を検出するスタート信号検出手段と、
前記スタート信号検出手段に接続され、前記スタート信号検出手段が検出した信号に基づいて、前記信号が送信されている間の時間をカウントするスタート時間カウント手段と、
前記スタート時間カウント手段に接続され、通常のスタートが出力される時間に相当する、予め登録された所定のカウント値が記憶された記憶手段を有し、前記スタート時間カウント手段がカウントしたカウント値と、前記記憶手段に記憶されたカウント値の大きさを比較し、前記スタート時間カウント手段がカウントした値が大きい場合には、リーチ信号を送信する比較手段と、
前記比較手段に接続され、前記比較手段から送信されるリーチ信号を受信し、この受信回数をカウントしてリーチ回数を得るリーチカウント手段と、
前記リーチカウント手段に接続され、前記リーチカウント手段がカウントしたリーチ回数を、前記呼び出しランプに送信する送信手段とからなり、前記リーチカウント手段からの当該遊技機のリーチ回数情報とスタート回数情報及びこれらの情報をそれぞれ演算して当該遊技機の出玉率を表示するようにしたことを特徴とする遊技機情報表示装置。
【請求項３】
前記呼び出しランプに接続され、前記遊技機からのスタートの出力が終了したときに、前記遊技機から送信されるスタート出力信号を検出し、前記スタート時間カウント手段に、前記スタート出力信号を送信して、前記スタート時間カウント手段に、前記スタート信号の出力が終了した信号を送信し、前記スタート時間のカウントを終了させるスタート出力信号検出手段を備えたことを特徴とする前記請求項２に記載の遊技機情報表示装置。
【請求項４】
前記当該遊技機が不稼働のときは、前記リーチ回数情報及びスタート回数情報に基づく演算から、当該遊技機の少なくとも特賞発生確率、リーチ回数を表示するようにしたことを特徴とする請求項１ないし３のいずれかに記載の遊技機情報表示装置。
【請求項５】
前記表示は、前記ホールコンピュータに予め記憶された遊技機機種に基づいて集計された機種毎のリーチ回数、スタート回数、出玉率を表示するようにしたことを特徴とする前記請求項１ないし４のいずれかに記載の遊技機情報表示装置。
【手続補正３】
【補正対象書類名】明細書
【補正対象項目名】０００８
【補正方法】変更
【補正の内容】
【０００８】
【課題を解決するための手段】
本願請求項１に係る発明は、遊技機情報表示装置において、入賞により、信号を発する遊技機と、前記遊技機からの信号とを受けて点灯する呼び出しランプと、前記呼び出しランプと遊技機が接続された中継器と、前記中継器を介して前記遊技機と接続され、表示装置と入力装置を有するホールコンピュータとからなる遊技機情報表示装置において、前記呼び出しランプに接続され、前記遊技機から発せられるリーチ信号を検出するリーチ信号検出手段と、前記リーチ信号検出手段に接続され、前記リーチ信号検出手段が検出したリーチ信号を受信して、前記リーチ信号を受信した回数をカウントし、カウント値（以下、リーチ信号を受信した回数をカウントし、得たカウント値を、「リーチ回数」とする。）を得るリーチカウント手段と、前記リーチカウント手段に接続され、前記リーチカウント手段から送信されたリーチ回数を前記呼び出しランプに送信する送信手段とからなり、前記リーチカウント手段からの当該遊技機のリーチ回数情報とスタート回数情報及びこれらの情報をそれぞれ演算して当該遊技機の出玉率を表示するようにしたことを特徴とする。


【手続補正４】
【補正対象書類名】明細書
【補正対象項目名】０００９
【補正方法】変更
【補正の内容】
【０００９】
本願請求項２に係る発明は、遊技機情報表示装置において、入賞により、信号を発する遊技機と、前記遊技機からの信号を受けて点灯する呼び出しランプと、前記呼び出しランプと遊技機が接続された中継器と、前記中継器を介して前記遊技機と接続され、表示装置と入力装置を有するホールコンピュータとからなる遊技機情報管理装置において、前記呼び出しランプに接続され、前記遊技機から発せられる信号を検出するスタート信号検出手段と、前記スタート信号検出手段に接続され、前記スタート信号検出手段が検出した信号に基づいて、前記信号が送信されている間の時間をカウントするスタート時間カウント手段と、前記スタート時間カウント手段に接続され、通常のスタートが出力される時間に相当する、予め登録された所定のカウント値が記憶された記憶手段を有し、前記スタート時間カウント手段がカウントしたカウント値と、前記記憶手段に記憶されたカウント値の大きさを比較し、前記スタート時間カウント手段がカウントした値が大きい場合には、リーチ信号を送信する比較手段と、前記比較手段に接続され、前記比較手段から送信されるリーチ信号を受信し、この受信回数をカウントしてリーチ回数を得るリーチカウント手段と、前記リーチカウント手段に接続され、前記リーチカウント手段がカウントしたリーチ回数を、前記呼び出しランプに送信する送信手段とからなり、前記リーチカウント手段からの当該遊技機のリーチ回数情報とスタート回数情報及びこれらの情報をそれぞれ演算して当該遊技機の出玉率を表示するようにしたことを特徴とする。
本願請求項３に係る発明は、前記請求項２に記載の遊技機情報表示装置において、前記呼び出しランプに接続され、前記遊技機からのスタートの出力が終了したときに、前記遊技機から送信されるスタート出力信号を検出し、前記スタート時間カウント手段に、前記スタート出力信号を送信して、前記スタート時間カウント手段に、前記スタート信号の出力が終了した信号を送信し、前記スタート時間のカウントを終了させるスタート出力信号検出手段を備えたことを特徴とする。
本願請求項４に係る発明は、請求項１ないし３のいずれかに記載の遊技機情報表示装置において、前記当該遊技機が不稼働のときは、前記リーチ回数情報及びスタート回数情報に基づく演算から、当該遊技機の少なくとも特賞発生確率、リーチ回数を表示するようにしたことを特徴とする。
本願請求項５に係る発明は、前記請求項１ないし４のいずれかに記載の遊技機情報表示装置において、前記表示は、前記ホールコンピュータに予め記憶された遊技機機種に基づいて集計された機種毎のリーチ回数、スタート回数、出玉率を表示するようにしたことを特徴とする。